(57)【要約】【課題】  利用者の荷物が盗難に遭うことを確実に防止できる写真撮影編集方法およびその装置を提案する。【解決手段】  一以上の利用者を撮影して撮影画像を作成する撮影手段と、該撮影画像、又は／及び他の取得手段で取得の取得画像といった編集対象画像を編集して編集画像を作成する編集手段と、所定の画像を出力する出力手段とを備えた写真撮影編集装置に、荷物置き用に提供する荷物置き部と、該荷物置き部からの荷物の取り出し可否をロック／アンロックにより制御するロック手段とを備えた。【選択図】    図４
2006317661.tif 000002
【特許請求の範囲】
【請求項１】
一以上の利用者を撮影手段で撮影して撮影画像を作成する撮影処理を許容し、
該撮影画像、又は／及び他の取得手段で取得の取得画像等の編集対象画像に、利用者に編集手段で編集させて編集画像を作成する編集処理を許容し、
所定の画像を出力手段で出力する写真撮影編集方法であって、
荷物置き用に荷物置き部を提供し、
該荷物置き部のロック／アンロックを制御するロック手段により該荷物置き部からの荷物の取り出し可否を制御する
写真撮影編集方法。
【請求項２】
前記撮影手段による撮影を許容する撮影空間と、前記編集手段による編集を許容する編集空間とが分割して備えられ、
前記荷物置き部が、前記撮影空間と前記編集空間とに連通して設けられ、
前記ロック手段が、前記荷物置き部の撮影空間側と編集空間側とにそれぞれ設けられ、
各ロック手段を独立してロック／アンロックする
請求項１記載の写真撮影編集方法。
【請求項３】
前記荷物置き部に設けられた荷物移動手段により、撮影空間側から編集空間側へ荷物を移動させる
請求項２記載の写真撮影編集方法。
【請求項４】
前記編集空間が複数備えられて前記荷物置き部が該編集空間毎に備えられ、
利用者に対して編集許容する編集空間を編集空間割当手段により撮影の際に割り当て、
割り当てた編集空間に連通する荷物置き部の撮影空間側のロック手段を制御し、
撮影終了時に案内手段により前記割り当てた編集空間への移動を案内し、
前記割り当てた編集空間の荷物置き部の編集空間側のロック手段をアンロックする
請求項２または３記載の写真撮影編集方法。
【請求項５】
一以上の利用者を撮影して撮影画像を作成する撮影手段と、
該撮影画像、又は／及び他の取得手段で取得の取得画像といった編集対象画像を編集して編集画像を作成する編集手段と、
所定の画像を出力する出力手段とを備えた写真撮影編集装置であって、
荷物置き用に提供する荷物置き部と、
該荷物置き部からの荷物の取り出し可否をロック／アンロックにより制御するロック手段とを備えた
写真撮影編集装置。
【請求項６】
前記撮影手段による撮影を許容する撮影空間と、前記編集手段による編集を許容する編集空間とを分割して備え、
前記荷物置き部を、
前記撮影空間と前記編集空間とに連通して設け、
前記ロック手段を、前記荷物置き部の撮影空間側と編集空間側とにそれぞれ設け、各ロック手段を独立してロック／アンロック可能に構成した
請求項５記載の写真撮影編集装置。
【請求項７】
前記荷物置き部に、撮影空間側から編集空間側へ荷物を移動させる荷物移動手段を設けた
請求項６記載の写真撮影編集装置。
【請求項８】
前記編集空間を複数備えて前記荷物置き部を該編集空間毎に備え、
利用者に対して編集許容する編集空間を撮影の際に割り当てる編集空間割当手段を備え、
割り当てた編集空間に連通する荷物置き部の撮影空間側のロック手段を制御する構成にし、
割り当てた編集空間への移動を撮影終了時に案内する案内手段を備え、
前記割り当てた編集空間の荷物置き部の編集空間側のロック手段をアンロックする構成にした
請求項５または６記載の写真撮影編集装置。
【発明の詳細な説明】
【技術分野】
【０００１】
この発明は、例えば利用者を撮影した撮影画像に編集を許容し、この編集画像を印刷した写真シールを出力するような写真撮影編集方法およびその装置に関する。
【背景技術】
【０００２】
従来、利用者をカメラで撮影してその撮影画像に編集を許容し、完成した編集画像を印刷して写真シールシートを出力する写真撮影編集装置が提供されている。  
近年、このような写真撮影編集装置は、複数人が充分に入れる撮影空間が設けられたものが増加しており、撮影空間が広がる傾向にある。利用者は、この充分に広い撮影空間を利用して、様々なポーズで撮影し、撮影画像に変化のある写真シールを作成して楽しんでいる。
【０００３】
このように様々なポーズを撮影する際には、利用者が撮影空間に持ち込む荷物がじゃまになる。このため、利用者は、広い撮影空間の片隅に荷物を置いて両手を自由にし、その上で両手を広げたポーズや腕を組んだポーズなど工夫を凝らしたポーズで撮影している。
【０００４】
しかし、このようにポーズをとって撮影に熱中すると、利用者は荷物を撮影空間に置き忘れてしまうことがある。そして、置き忘れた荷物が盗難に遭うといった問題が発生している。
【０００５】
こういった荷物の置き忘れを防止するため、荷物置き部を備えた画像プリントシステムが提案されている（特許文献１参照）。  
この画像プリントシステムは、重量検知センサによって荷物置き部に入った荷物を検知し、荷物が入った状態で利用者が外に出たことを人体検知センサで検知すると、警報出力を行うものである。
【０００６】
しかし、この画像プリントシステムは、置き忘れ防止には役立つものの、撮影空間に利用者が存在する状態で荷物が荷物置き部から取り出されて盗難されても、正規の利用者が荷物置き部から荷物を取り出したことと区別できないため、なんら警告ができないものであった。
【０００７】
利用者は、撮影のポーズを考える上で、常に荷物置き部が存在する方向を見ているわけではなく、１グループ内の複数人の利用者が互いに向き合ってポーズを相談する場合や、後ろ向きで振り向いた写真を撮影しようとして後ろ向きで相談する場合など、荷物が視界に入らない状態でポーズを考えることがある。従って、この間に荷物が盗難される隙が発生してしまい、前述の画像プリントシステムでは、この盗難を防止できないという問題点があった。
【０００８】
【特許文献１】特開２００４−２９５５２９号公報
【発明の開示】
【発明が解決しようとする課題】
【０００９】
この発明は、上述の問題に鑑みて、利用者の荷物が盗難に遭うことを確実に防止できる写真撮影編集方法およびその装置を提案することを目的とする。
【課題を解決するための手段】
【００１０】
この発明は、一以上の利用者を撮影して撮影画像を作成する撮影手段と、該撮影画像、又は／及び他の取得手段で取得の取得画像といった編集対象画像を編集して編集画像を作成する編集手段と、所定の画像を出力する出力手段とを備えた写真撮影編集方法または写真撮影編集装置であって、荷物置き用に提供する荷物置き部と、該荷物置き部からの荷物の取り出し可否をロック／アンロックにより制御するロック手段とを備えた写真撮影編集方法または写真撮影編集装置であることを特徴とする。
【００１１】
前記撮影手段は、デジタルカメラ又はデジタルビデオカメラで構成することができる。  
前記他の取得手段は、カメラ付き携帯電話やノートパソコン等の携帯情報端末と通信する通信手段、フレキシブルディスクや不揮発性メモリ媒体等の記憶媒体に記憶の情報を読取る記憶媒体読取手段、写真や絵画等の実画像をスキャニングするスキャナ等、画像データを取り込み可能なデータ取込手段で構成することができる。  
前記取得画像は、通信手段又は記憶媒体読取手段等のデータ取込手段で取得する画像、すなわち個人用デジタルカメラでの撮影やパソコンでのグラフィック制作等によるデジタル画像や、写真や絵画等の実画像をスキャナでスキャニングしたスキャニング画像で構成することができる。
【００１２】
前記編集手段は、利用者にタッチペン又は指でタッチされた座標を取得するタッチパネルやマウス等のポインティングデバイス（座標入力手段）で構成することができる。
【００１３】
前記編集対象画像は、前記撮影画像又は／及び前記取得画像で構成することができる。  
前記所定の画像は、前記撮影画像または／および前記編集画像で構成することができる。
【００１４】
前記出力手段は、インクジェットプリンタ、昇華型熱転写プリンタや溶融型熱転写プリンタ等の熱転写プリンタ、又はレーザプリンタ等、モノトーン、セピア（ｓｅｐｉａ）トーン又はカラー等で画像を印刷する印刷手段、画像データを送信する通信手段、又は画像データを記憶媒体に書き込む記憶媒体リーダ／ライタで構成することができる。
【００１５】
前記荷物置き部は、荷物を収納できる箱型の荷物置き箱、荷物を掛けることができる荷物掛けアーム、または荷物を載置できる棚型の荷物置き棚など、荷物を置くことができる物で構成することができる。
【００１６】
前記ロック手段は、ロック／アンロックを制御するソレノイドやモータ等の駆動手段で構成することができる。例えば、前記荷物置き箱の蓋の係止／開放を行う駆動手段、荷物掛けアームを輪状に封鎖する駆動手段、または、荷物置き棚の前面をシャッタで遮蔽する駆動手段等で構成することができる。
【００１７】
この発明の態様として、前記撮影手段による撮影を許容する撮影空間と、前記編集手段による編集を許容する編集空間とを分割して備え、前記荷物置き部を、前記撮影空間と前記編集空間とに連通して設け、前記ロック手段を、前記荷物置き部の撮影空間側と編集空間側とにそれぞれ設け、各ロック手段を独立してロック／アンロック可能に構成することができる。
【００１８】
またこの発明の態様として、前記荷物置き部に、撮影空間側から編集空間側へ荷物を移動させる荷物移動手段を設けることができる。  
前記荷物移動手段は、荷物が置かれた床面を移動させるベルトコンベア、荷物置き部自体をスライド移動または回転させるモータ等、適宜の駆動装置により構成することができる。また、傾斜させた床面により前記荷物移動手段を構成することもできる。この場合は、傾斜させた床面上を荷物が重力によって自然に滑動することになる。
【００１９】
またこの発明の態様として、前記編集空間を複数備えて前記荷物置き部を該編集空間毎に備え、利用者に対して編集許容する編集空間を撮影の際に割り当てる編集空間割当手段を備え、割り当てた編集空間に連通する荷物置き部の撮影空間側のロック手段を制御する構成にし、割り当てた編集空間への移動を撮影終了時に案内する案内手段を備え、前記割り当てた編集空間の荷物置き部の編集空間側のロック手段をアンロックすることができる。
【００２０】
前記編集空間割当手段は、いずれの編集空間を利用させるか決定する処理を実行するＣＰＵやＭＰＵなどの制御手段で構成することができる。
【００２１】
前記案内手段は、画像や文字の表示を行う表示手段、点灯や消灯を行うランプ、または音声出力を行う音声出力手段で構成する、あるいはこれらの手段を複数組み合わせて構成するなど、利用者にいずれの編集空間へ移動すれば良いかを案内する手段で構成することができる。
【発明の効果】
【００２２】
この発明により、利用者の荷物が盗難に遭うことを確実に防止できる。
【発明を実施するための最良の形態】
【００２３】
この発明の一実施形態を以下図面と共に説明する。  
【実施例１】
【００２４】
まず、実施例１の写真シール作成機１について説明する。この写真シール作成機１は、撮影空間１つ（７）に対して編集空間２つ（９ａ，９ｂ）を備え、利用者を各編集空間に交互に案内するものであり、荷物置き部４０ａ，４０ｂに置かれた荷物は撮影空間から編集空間へ移動させるように構成している。
【００２５】
図１は、写真シール作成機１の外観を示す平面図であり、この写真シール作成機１は、撮影用筐体６と編集用筐体８ａ，８ｂと荷物置き部４０ａ，４０ｂとにより構成されている。
【００２６】
前記撮影用筐体６は、撮影空間７の奥側に備えられており、照明装置１１，１１、デジタルカメラ１２、モニタ１３、及びタッチパネルとタッチペンで構成される入力装置１４が設けられている。なお、撮影空間７には、左右両側方に側壁４，４が備えられており、撮影用筐体６と側壁４，４との間に出入口が設けられている。また、撮影空間７の手前側には、撮影時に背景になるカーテン３が設けられ、該カーテン３のさらに手前側には、撮影空間７と編集空間９（９ａ，９ｂ）とを仕切る仕切り壁５ａが設けられている。
【００２７】
なお、前記カーテン３は、モータ等の駆動手段を備えたロールカーテンにより構成されており、撮影前にはカーテン３の下端を床面から一定距離だけ離間させるように巻取り、荷物置き部４０ａ，４０ｂが容易に視認できるようにしている。荷物が荷物置き部４０ａ，４０ｂに置かれて撮影を実行する際には、カーテン３を下端が床面に接触するまで降下させ、デジタルカメラ１２による撮影画像に荷物置き部４０ａ，４０ｂが写らないようにしている。
【００２８】
前記編集用筐体８ａ，８ｂは、撮影空間７の手前側に配置された２つの編集空間９ａ，９ｂにそれぞれ設けられており、それぞれモニタ１３及び入力装置１４により構成されている。
【００２９】
なお、編集空間９は、いずれも撮影空間７に隣接して配置されている。また、編集空間９ａと編集空間９ｂとの間には、隣の編集空間９にいる利用者から見られないように両空間を仕切る仕切り壁５ｂが設けられている。
【００３０】
前記荷物置き部４０ａ，４０ｂは、それぞれ前記仕切り壁５ａの一部に設けられており、その内部で撮影空間７と編集空間９とを連通している。この物置き部４０ａ，４０ｂは、各編集空間９を仕切る仕切り壁５ｂの左右に近接して配設されており、該物置き部４０ａ，４０ｂの手前側に、プリンタ１８が設けられている。このプリンタ１８は、各編集空間９に対応した写真シールシートをそれぞれ排出する。
【００３１】
以上の構成により、利用者は撮影空間７内でデジタルカメラ１２により撮影し、編集空間９のいずれか一方に移動して、撮影画像に編集することができる。利用者が荷物を持っていた場合は、その荷物を荷物置き部４０ａ，４０ｂのいずれか一方に入れることができる。
【００３２】
図２は、荷物置き部４０（４０ａ，４０ｂ）の構成を示す一部縦断側面図である。  
荷物置き部４０は、撮影空間７と編集空間９とを連通する箱体であり、撮影空間側収納部４５と、編集空間側収納部５５とを、上下動する仕切り板４９で仕切って構成されている。
【００３３】
荷物置き部４０の上面には、撮影空間７側に撮影側蓋４１が開閉可能に枢着され、編集空間９側に編集側蓋５１が開閉可能に枢着されている。この撮影側蓋４１と編集側蓋５１とは、別個独立に開閉するように構成されている。
【００３４】
撮影側蓋４１及び編集側蓋５１の裏面（下面）には、正面視Ｕ字型のロックガイド４２，５２がそれぞれ設けられている。このロックガイド４２，５２に、荷物置き部４０の本体部に設けられたソレノイド４４，５４の突出ピンが挿抜されることで、蓋の開閉可否を制御できるようにしている。
【００３５】
また、撮影側蓋４１及び編集側蓋５１の裏面には、荷物が収納された（置かれた）ことを検知する荷物検知センサ４３，５３がそれぞれ複数配設されている。この荷物検知センサ４３，５３は、例えば反射型の光センサによって構成されている。  
荷物置き部４０の底面部には、図示省略するモータ等の駆動手段で回転する複数のローラ４６にベルト４７が張架された荷物搬送装置３５が備えられている。
【００３６】
仕切り壁５ａには、仕切り板４９が退避できるように溝穴６５が設けられており、仕切り板４９は、図示省略するモータ等の駆動手段により、この溝穴６５に対して進退可能なように上下動可能に保持されている。
【００３７】
また、この荷物置き部４０の手前側（図示左側）には、プリンタ１８が連設されている。このプリンタ１８は、手前側（図示左側）にプリント排出口（図示省略）を設け、このプリント排出口から、写真シールシート７０を排出するように構成している。
【００３８】
以上の構成により、撮影側蓋４１と編集側蓋５１との開閉可否は、ソレノイド４４，５４により別個独立して制御することができる。撮影空間側収納部４５と、編集空間側収納部５５との間は、仕切り板４９で仕切ることができる。また必要に応じて、仕切り板４９を上方へ退避させ、荷物搬送装置３５で荷物を撮影空間側収納部４５から編集空間側収納部５５に移動させることができる。そして、荷物置き部４０に連設されたプリンタ１８から写真シールシート７０が排出されるため、利用者は、写真シールシート７０を取得する際にスムーズかつ確実に荷物置き部４０から荷物を取り出すことができる。
【００３９】
次に、図３に示すブロック図と共に、写真シール作成機１の構成について説明する。  
写真シール作成機１は、制御装置１０、照明装置１１、デジタルカメラ１２、モニタ１３、入力装置１４、貨幣処理装置１５、ＩＤタグリーダ／ライタ１７、プリンタ１８、記憶装置２０、及び荷物管理部３０により構成されている。
【００４０】
各構成要素について説明すると、前記制御装置１０は、ＣＰＵ、ＲＯＭ、及びＲＡＭにより構成されており、各機器の制御動作を実行する。なお、制御装置１０は、記憶装置２０に記憶されたプログラムに従って各処理を実行し、荷物を置かせる荷物置き部４０ａ，４０ｂ（図１）の指示や、移動すべき編集空間９（図１）の案内も実行する。
【００４１】
前記照明装置１１は、制御装置１０からの照明制御信号に従って、ストロボ照明装置（瞬間照明装置）のストロボ発光、及び蛍光灯照明装置の連続発光を実行し、撮影処理及び編集処理で利用者を照明する。また上記照明制御信号には、前記デジタルカメラ１２が出力したトリガ信号と同期をとった瞬間発光信号も含まれており、該瞬間発光信号に従ってストロボ照明装置がストロボ発光している間に前記デジタルカメラ１２のシャッタが開閉するように構成している。なお、前記蛍光灯照明装置は、白熱灯照明装置やスポットライト等、連続して照明できる連続照明装置で構成することができる。
【００４２】
前記デジタルカメラ１２は、制御装置１０から撮影開始信号を受けて撮影を実行し、該撮影時にシャッタのトリガ信号を出力する。該撮影による撮影画像は静止画データで、また撮影前のライブビュー画像は動画データで、それぞれ画像データとして制御装置１０に送信する。また制御装置１０から設定信号を受信し、設定値の変更等も実行する。
【００４３】
前記モニタ１３は、液晶ディスプレイで構成されており、制御装置１０からのＲＧＢ信号に従って、撮影前のライブビュー表示（動画表示）、撮影画像の確認表示（静止画表示）、画像編集時に使用するペンツールやスタンプツールなどの描画アイテムや、クロマキー合成に使用する合成用背景画像等、必要な画像を表示する。このモニタ１３は、撮影空間７、及び編集空間９ａ，９ｂにそれぞれ１つずつ設けられ、それぞれが独立して動作するように構成されている。
【００４４】
前記入力装置１４は、前述のタッチパネルとタッチペンとで構成されており、利用者にタッチペンでタッチされた座標を入力信号として制御装置１０に送信する。この入力装置１４は、撮影空間７、及び編集空間９ａ，９ｂにそれぞれ１つずつ設けられ、それぞれが独立して動作するように構成されている。
【００４５】
前記貨幣処理装置１５は、撮影用筐体６の正面に設けられたコイン投入口の内部に位置して設けられており、該コイン投入口から投入された硬貨等のコインの真偽判別及び金種判別を実行する。該真偽判別及び金種判別が正であれば、プレイを開始する起動信号を制御装置１０に送信する。
【００４６】
前記ＩＤタグリーダ／ライタ１７は、後に説明するプリンタ１８に近接して設けられており、制御装置１０の更新信号に従ってシール紙ユニット６０に備えたＩＤタグのデータを読み書きする。
【００４７】
前記シール紙ユニット６０は、ロール状のシール紙（印刷用紙）とその側面に一体に備えたＩＤタグ６４とで構成されている。該ＩＤタグ６４には、シール紙ユニット６０のＩＤナンバーや印刷残回数等の情報が記憶されている。
【００４８】
前記プリンタ１８は、編集画像が配置された印刷用画像を制御装置１０から受信し、該印刷用画像をシール紙に印刷して作成した写真シールシートを、写真シール排出口から排出する。  
前記記憶装置２０には、照明光度やプレイ料金等の各種設定データ、及び必要なプログラムが記憶されている。
【００４９】
前記荷物管理部３０には、状態監視装置３１、荷物検知装置３４、荷物搬送装置３５、盗難防止装置３７、及び警告装置３８が設けられている。  
前記状態監視装置３１は、ＣＰＵ等の制御部で構成されており、制御装置１０から写真シール作成機１のプレイ状態を受信し、荷物置き部４０ａ，４０ｂの開閉可否を管理する。
【００５０】
前記荷物検知装置３４は、前述した複数の荷物検知センサ４３，５３（図２）により構成されており、荷物を検知した検知信号を前記状態監視装置３１に送信する。
【００５１】
前記荷物搬送装置３５は、前述したローラ４６及びベルト４７（図２）により構成されており、前記状態監視装置３１から受信する回転制御信号により荷物のベルト搬送を実行する。
【００５２】
前記盗難防止装置３７は、前述したロックガイド４２，５２及びソレノイド４４，５４により構成されており、前記状態監視装置３１からロック制御信号を受信してロック／アンロックを切り替える。
【００５３】
前記警告装置３８は、モニタ１３や、音声出力を行う警告制御信号により構成されており、状態監視装置３１から受信する警告制御信号に従って、表示や音声出力による警告を行う。
【００５４】
以上の構成により、照明装置１１の照明を得て利用者をデジタルカメラ１２で撮影し、該撮影画像をモニタ１３に表示しつつ入力装置１４で編集許容し、プリンタ１８で印刷した写真シールシートを提供することができる。
【００５５】
図４は、写真シール作成機１の制御装置１０の動作を示すフローチャートである。  
まず、制御装置１０は、デジタルカメラ１２による撮影等を実行する撮影処理を開始する（ステップｎ１）。  
制御装置１０は、利用可能な荷物置き部４０として、他の利用者による編集が実行されていない編集空間９（図１）の荷物置き部４０（若しくは最後に利用者を案内した編集空間９と逆の編集空間９の荷物置き部４０）を選択し、この荷物置き部４０（例えば荷物置き部４０ａ）を使用することを利用者に指示する（ステップｎ２）。このときの指示は、撮影空間７内のモニタ１３のモニタ表示や図示省略する音声出力装置の音声出力によって、利用者に使用可能な荷物置き部４０を通知して行う。また、このとき指示した編集空間９に連通している荷物置き部４０（例えば荷物置き部４０ａ）のソレノイド４４を盗難防止装置３７により駆動し、撮影側蓋４１を開閉できるようにアンロックしておく。
【００５６】
なお、他の編集空間９に連通している荷物置き部４０（例えば荷物置き部４０ｂ）のソレノイド４４は、撮影側蓋４１を開閉できないようにロックしておくことが好ましい。これにより、指示したにも関わらず、利用者が誤って指示されていない荷物置き部４０に荷物を置くことを防止できる。
【００５７】
撮影側の荷物検知センサ４３により荷物を検知すると（ステップｎ３：Ｙｅｓ）、制御装置１０は、撮影用の入力装置１４で利用者にパスワードを入力させ、パスワードを決定する（ステップｎ４）。
【００５８】
制御装置１０は、前記ステップｎ２で指示した編集空間９に連通している荷物置き部４０（例えば荷物置き部４０ａ）のソレノイド４４を盗難防止装置３７により駆動し、撮影側蓋４１を開閉できないようにロックする（ステップｎ５）。
【００５９】
制御装置１０は、デジタルカメラ１２で撮影している動画像を表示するライブビュー表示や、デジタルカメラ１２による利用者の撮影といった撮影処理を実行する。そして、この撮影処理が終了すると（ステップｎ６：Ｙｅｓ）、ステップｎ２で指示した荷物置き部４０の仕切り板４９を上昇（退避）させて撮影空間側収納部４５と編集空間側収納部５５とを連通し、荷物搬送装置３５を駆動して荷物を撮影空間側収納部４５から編集空間側収納部５５へ搬送する（ステップｎ７）。
【００６０】
なお、搬送が終了すると仕切り板４９を下降させて撮影空間側収納部４５と編集空間側収納部５５とを分離し、次の撮影処理に備える。また、この一連の動作を実行している間は、編集空間９側の編集側蓋５１はロックしておき、荷物が盗難に遭わないようにすることが好ましい。
【００６１】
また、撮影処理の終了時に、または撮影処理の継続中は常に、前記ステップｎ２で選択した編集空間９へ移動するように、撮影空間７内のモニタ１３や音声出力装置等で利用者に案内することが好ましい。これにより、利用者は、案内された編集空間９に正しく移動することができる。  
そして、このとき荷物はその撮影空間に自動的に搬送する旨を案内することが好ましい。これにより、利用者は安心して荷物を持たずに移動できる。
【００６２】
制御装置１０は、撮影画像に対してペン描画や合成用背景選択といった編集を許容する編集処理を開始し（ステップｎ８）、編集処理が終了すると（ステップｎ９：Ｙｅｓ）、印刷処理を開始する（ステップｎ１０）。この印刷処理では、編集画像を分割配置する分割パターンを選択させ、選択された分割パターンに編集画像を配置してシール紙に印刷し、完成した写真シールシートを排出する。
【００６３】
制御装置１０は、荷物検知装置３４により荷物を検知すると（ステップｎ１１：Ｙｅｓ）、荷物をとり忘れないように警告装置３８により警告する（ステップｎ１２）。
【００６４】
制御装置１０は、モニタ１３と入力装置１４によって利用者にパスワードを入力させ（ステップｎ１３）、パスワードが正しければ、編集許容した編集空間９の荷物置き部４０（例えば荷物置き部４０ａ）のソレノイド５４を盗難防止装置３７により駆動し、編集側蓋５１を開閉できるようにアンロックする（ステップｎ１４）。
【００６５】
以上の動作により、利用者は撮影の際に荷物を荷物置き部４０に置くことができる。この荷物は、盗難されないようにロックして写真シール作成機１で管理することができる。  
そして、写真シール作成機１は荷物を撮影空間７から編集空間９に搬送できるため、利用者は撮影空間７で荷物置き部４０に荷物を入れ、撮影終了後にこの荷物を持たずに編集空間９に移動することができ、編集終了後に編集空間９で荷物を受け取ることができる。
【００６６】
利用者が撮影の際に荷物を荷物置き部４０に預けてから編集が終わって荷物が返却されるまでの間は、ロックされた状態の荷物置き部４０内に荷物を保管するため、利用者の荷物が盗難に遭わないように管理することができる。  
荷物置き部４０の内部は、仕切り板４９によって撮影空間７側と編集空間９側とに分割されているため、撮影空間７と２つの編集空間９との全てに利用者が存在している場合でも、荷物を正しく区分けして管理することができ、異なるグループの利用者の荷物が混入することを防止できる。
【実施例２】
【００６７】
次に、実施例２の写真シール作成機１について説明する。この写真シール作成機１は、前述した実施例１と同様に、撮影空間１つに対して編集空間を２つ備え、利用者を各編集空間に交互に案内するものであるが、荷物置き部に置かれた荷物の移動はできないように構成されている。
【００６８】
図５は、写真シール作成機１の外観を示す平面図であり、この写真シール作成機１は、撮影用筐体６と編集用筐体８ａ，８ｂと荷物置き部４０ａ，４０ｂとにより構成されている。
【００６９】
前記撮影用筐体６は、撮影空間７の奥側に備えられており、照明装置１１，１１、デジタルカメラ１２、モニタ１３、及びタッチパネルとタッチペンで構成される入力装置１４等が設けられている。なお、撮影空間７は、左右両側方に側壁４が備えられており、撮影用筐体６と側壁４との間に出入口が設けられている。この出入口には、モータ等の適宜の駆動装置で開閉制御でき、またソレノイド等の適宜のロック装置でロック／アンロックできる自動扉２ｃが設けられている。また、撮影空間７の手前側には、撮影時に背景になるカーテン３が設けられ、該カーテン３のさらに手前側には、撮影空間７と編集空間９（９ａ，９ｂ）とを仕切る仕切り壁５ａが設けられている。
【００７０】
なお、前記カーテン３は、モータ等の駆動手段を備えたロールカーテンにより構成されており、撮影前にはカーテン３の下端を床面から一定距離だけ離間させるように巻取り、荷物置き部４０ａ，４０ｂが容易に視認できるようにしている。荷物が荷物置き部４０ａ，４０ｂに置かれて撮影を実行する際には、カーテン３を下端が床面に接触するまで降下させ、デジタルカメラ１２による撮影画像に荷物置き部４０ａ，４０ｂが写らないようにしている。
【００７１】
前記編集用筐体８ａ，８ｂは、撮影空間７の手前側に配置された２つの編集空間９にそれぞれ設けられており、それぞれモニタ１３及び入力装置１４により構成されている。
【００７２】
なお、編集空間９は、いずれも撮影空間７に隣接して配置されている。また、編集空間９ａと編集空間９ｂとの間には、両空間を仕切る仕切り壁５ｂが設けられており、この仕切り壁５ｂと逆側の側面には、側壁４，４が設けられている。  
そして、編集空間９の後方には、モータ等の適宜の駆動装置で開閉制御でき、またソレノイド等の適宜のロック装置でロック／アンロックできる自動扉２ａ，２ｂがそれぞれに設けられている。
【００７３】
前記荷物置き部４０ａ，４０ｂは、それぞれ前記仕切り壁５ａの一部に設けられており、その内部で撮影空間７と編集空間９とを連通している。この物置き部４０ａ，４０ｂは、各編集空間９を仕切る仕切り壁５ｂの左右に近接して配設されており、該物置き部４０ａ，４０ｂの手前側に、プリンタ１８が設けられている。このプリンタ１８は、各編集空間９に対応した写真シールシートをそれぞれ排出する。
【００７４】
以上の構成により、利用者は撮影空間７内でデジタルカメラ１２により撮影し、編集空間９のいずれか一方に移動して、撮影画像を編集することができる。利用者が荷物を持っていた場合は、その荷物を荷物置き部４０ａ，４０ｂのいずれか一方に置くことができる。
【００７５】
次に、図６に示す一部縦断側面図と共に、荷物置き部４０の構成について説明する。  
この実施例２では、実施例１と異なって仕切り板４９がなく、撮影空間側収納部４５と編集空間側収納部５５とが常に連通するように構成されている。  
また、実施例１で光センサにより構成した荷物検知センサ４３，５３の代わりに、重量検知センサによる荷物検知センサ５９が備えられている。  
その他の構成については、図２と共に前述した実施例１と同一であるので、同一要素に同一符号を付してその詳細な説明を省略する。
【００７６】
次に、写真シール作成機１の構成について説明する。写真シール作成機１の構成は、図３と共に説明した実施例１の写真シール作成機１から荷物搬送装置３５を除いた構成になっている。そして、写真シール作成機１の荷物検知装置３４を荷物検知センサ５９により構成している。他の要素は、実施例１と同一であるため、その詳細な説明を省略する。
【００７７】
次に、図７に示すフローチャートと共に、写真シール作成機１の制御装置１０の動作について説明する。  
まず、制御装置１０は、デジタルカメラ１２による撮影等を実行する撮影処理を開始し（ステップｓ１）、撮影空間７の自動扉２ｃを閉じる（ステップｓ２）。
【００７８】
制御装置１０は、利用可能な荷物置き部４０として、他の利用者による編集が実行されていない編集空間９（図１）の荷物置き部４０を選択し、この荷物置き部４０（例えば荷物置き部４０ａ）を使用することを利用者に指示する（ステップｓ３）。
【００７９】
このときの指示は、撮影空間７内のモニタ１３のモニタ表示や図示省略する音声出力装置の音声出力によって、利用者に使用可能な荷物置き部４０を通知して行う。
【００８０】
また、このとき指示した編集空間９に連通している荷物置き部４０（例えば荷物置き部４０ａ）のソレノイド４４を盗難防止装置３７により駆動し、撮影側蓋４１を開閉できるようにアンロックしておく。
【００８１】
このアンロックと共に、指示した編集空間９における荷物置き部４０のソレノイド５４を駆動して編集側蓋５１をロックしておき、または、指示した編集空間９の自動扉２（例えば自動扉２ａ）をロックしておき、編集空間９側から荷物が盗難されないようにしている。
【００８２】
なお、逆側の編集空間９に連通している荷物置き部４０（例えば荷物置き部４０ｂ）のソレノイド４４は、撮影側蓋４１を開閉できないようにロックしておくことが好ましい。これにより、指示したにも関わらず利用者が誤って指示されていない荷物置き部４０に荷物を置くことを防止できる。
【００８３】
撮影側の荷物検知センサ４３により荷物を検知すると（ステップｓ４：Ｙｅｓ）、制御装置１０は、撮影用の入力装置１４で利用者にパスワードを入力させ、パスワードを決定する（ステップｓ５）。
【００８４】
制御装置１０は、前記ステップｓ３で指示した編集空間９に連通している荷物置き部４０（例えば荷物置き部４０ａ）のソレノイド４４を盗難防止装置３７により駆動し、撮影側蓋４１を開閉できないようにロックする（ステップｓ６）。
【００８５】
制御装置１０は、デジタルカメラ１２で撮影している動画像を表示するライブビュー表示や、デジタルカメラ１２による利用者の撮影といった撮影処理を実行する。そして、この撮影処理が終了すると（ステップｓ７：Ｙｅｓ）、ステップｓ３で指示した荷物置き部４０が連通している編集空間９への移動を利用者に案内し、自動扉２ｃを開放する（ステップｓ８）。なお、この一連の動作を実行している間は、編集空間９側の編集側蓋５１はロックしておき、荷物が盗難に遭わないようにすることが好ましい。
【００８６】
制御装置１０は、撮影画像に対してペン描画や合成用背景選択といった編集を許容する編集処理を開始し（ステップｓ９）、編集空間９側の自動扉（例えば自動扉２ａ）を閉じる（ステップｓ１０）。
【００８７】
編集処理が終了すると（ステップｓ１１：Ｙｅｓ）、制御装置１０は印刷処理を開始する（ステップｓ１２）。この印刷処理では、編集画像を分割配置する分割パターンを選択させ、選択された分割パターンに編集画像を配置してシール紙に印刷し、完成した写真シールシートを排出する。
【００８８】
制御装置１０は、荷物検知装置３４により荷物を検知すると（ステップｓ１３：Ｙｅｓ）、荷物をとり忘れないように警告装置３８により警告する（ステップｓ１４）。このとき、自動扉２ａは閉じた状態であるから、荷物を荷物置き部４０に置いた状態で利用者が退室することはできず、荷物の置き忘れを防止できる。
【００８９】
制御装置１０は、モニタ１３と入力装置１４によって利用者にパスワードを入力させ（ステップｓ１５）、パスワードが正しければ、編集許容した編集空間９の荷物置き部４０（例えば荷物置き部４０ａ）のソレノイド５４を盗難防止装置３７により駆動し、編集側蓋５１を開閉できるようにアンロックすると共に、編集空間９側の自動扉（例えば自動扉２ａ）を開放する（ステップｓ１６）。
【００９０】
以上の動作により、利用者は撮影の際に荷物を荷物置き部４０に置くことができる。この荷物は、盗難されないようにロックして写真シール作成機１で管理することができる。  
そして、写真シール作成機１は荷物を撮影空間７から編集空間９に搬送できるため、利用者は撮影空間７で荷物置き部４０に荷物を入れ、撮影終了後にこの荷物を持たずに編集空間９に移動することができ、編集終了後に編集空間９で荷物を受け取ることができる。
【００９１】
利用者が撮影の際に荷物を荷物置き部４０に預けてから編集が終わって荷物が返却されるまでの間は、ロックされた状態の荷物置き部４０内に荷物を保管するため、利用者の荷物が盗難に遭わないように管理することができると共に、異なるグループの利用者の荷物が混入することを防止できる。  
そして、実施例１と異なり実施例２の写真シール作成機１は、荷物搬送装置３５を不要にしたことでコストダウンを図ることができる。また、荷物を取り出すまで編集空間９の自動扉２ａ，２ｂを開けないため、荷物の置き忘れを確実に防止できる。
【実施例３】
【００９２】
次に、実施例３の写真シール作成機１について説明する。この写真シール作成機１は、前述した実施例１とは荷物置き部４０の構成が異なり、それ以外の構成及び動作については、実施例１と同一のものである。
【００９３】
図８は、この実施例３の写真シール作成機１に備えられる荷物置き部４０の斜視図を示す。  
この荷物置き部４０は、外形が立位の円筒形に形成されており、中央に仕切り板４９が固着されている。
【００９４】
荷物置き部４０の上面部は、仕切り板４９の上辺を枢軸として開閉する撮影側蓋４１及び編集側蓋５１が対称に設けられている。通常位置では、撮影側蓋４１が撮影空間７側に位置し、編集側蓋５１が編集空間９側に位置するように構成されている。
【００９５】
この実施例３の荷物搬送装置３５は、円筒形の荷物置き部４０をその場で１８０°水平回転させるモータ等の駆動装置で構成されており、撮影側蓋４１及び編集側蓋５１と、撮影空間７及び編集空間９との対応を逆にできるように構成されている。
【００９６】
以上の構成により、荷物置き部４０を回転させて、利用者の荷物を撮影空間７側から編集空間９側へ移動させることができ、実施例１と同一の効果を得ることができる。
【実施例４】
【００９７】
次に、実施例４の写真シール作成機１について説明する。この写真シール作成機１は、前述した実施例１とは荷物置き部４０の構成が異なり、それ以外の構成及び動作については、実施例１と同一のものである。
【００９８】
図９は、この実施例３の写真シール作成機１に備えられる荷物置き部４０の側面図を示す。  
この荷物置き部４０は、外形が先端をＵ字型に形成した荷物掛けアーム５８により構成されており、そのＵ字型の荷物掛け部５６に荷物Ａの手提げ部等を掛けることができるように構成されている。
【００９９】
荷物掛け部５６の上部には、ソレノイド等の駆動装置により開閉されるロック部５７が設けられている。
【０１００】
荷物掛けアーム５８の基部は上下動可能に枢支されて、該荷物掛けアーム５８は上方へ付勢されている。そして、荷物掛けアーム５８の下部には、重量検知センサによる荷物検知センサ５９が設けられており、荷物掛け部５６に荷物Ａが掛けられて荷物掛けアーム５８が下方へ回動すると、荷物Ａが掛けられたことを荷物検知センサ５９により検知する構成にしている。
【０１０１】
このように構成した荷物置き部４０は、モータ等の適宜の駆動装置によって水平方向に回動し、荷物掛け部５６を撮影空間７側から編集空間９側へ移動できるように構成されている。
【０１０２】
以上の構成により、荷物置き部４０を水平方向に回転させて、利用者の荷物Ａを撮影空間７側から編集空間９側へ移動させることができ、実施例１と同一の効果を得ることができる。
【０１０３】
以上に説明したように、実施例１〜４は、荷物置き用に提供する荷物置き部４０と、該荷物置き部４０からの荷物の取り出し可否をロック／アンロックにより制御する盗難防止装置３７とを備えたものであるから、利用者が撮影に熱中しても、盗難に遭わないように荷物を保護することができる。
【０１０４】
また、実施例１〜４は、前記デジタルカメラ１２による撮影を許容する撮影空間７と、前記入力装置１４による編集を許容する編集空間９とを分割して備え、前記荷物置き部４０を、前記撮影空間７と前記編集空間９とに連通して設け、前記盗難防止装置３７のソレノイド４４，５４を、前記荷物置き部４０の撮影空間７側と編集空間９側とにそれぞれ設け、各ソレノイド４４，５４を独立してロック／アンロック可能に構成したものであるから、撮影空間７と編集空間９とが分割されたタイプの写真シール作成機１で、荷物の取り出し可否を適切に制御することができる。
【０１０５】
また、実施例１、３〜４は、前記荷物置き部４０に、撮影空間７側から編集空間９側へ荷物を移動させる荷物搬送装置３５を設けたものであるから、撮影空間７で置かれた荷物を編集空間９に移動させることができ、利用者は撮影空間７から編集空間９へ荷物を持ち歩く必要がなくなり、利用者の利便性が向上する。
【０１０６】
また、実施例１〜４は、前記編集空間９を複数備えて前記荷物置き部４０を該編集空間９毎に備え、利用者に対して編集許容する編集空間９を撮影の際に割り当てるステップｎ２，ｓ３の処理を行い、割り当てた編集空間９に連通する荷物置き部４０のロックガイド４２（またはロックガイド５２）を制御する構成にし、割り当てた編集空間９への移動を撮影終了時に案内する撮影空間７内のモニタ１３や音声出力装置等を備えたものであるから、複数の編集空間９に利用者を振り分けることができ、その際に利用者の荷物を適切に管理することができる。
【０１０７】
なお、写真シール作成機１には、カメラ付き携帯電話やノートパソコン等の携帯情報端末と通信する通信装置、フレキシブルディスクや不揮発性メモリ媒体等の記憶媒体に記憶の情報を読取る記憶媒体読取装置、写真や絵画等の実画像をスキャニングするスキャナ等、画像データを取り込み可能なデータ取込装置を備えてもよい。この場合は、撮影した画像だけでなく、利用者が持ち込んだ持ち込み画像に対しても編集することができ、この編集画像を印刷した写真シールシートを提供することができる。
【０１０８】
また、荷物置き部４０からの荷物の取り出しには、パスワード入力が必要な構成としたが、「パスワードを忘れた場合には、店員をお呼び出し下さい」といったアナウンスを行う構成にしてもよい。この場合、利用者がパスワードを忘れても、スムーズに店員に連絡して荷物を取り出すことができる。
【０１０９】
また、荷物を置く際にパスワードを決定させ、荷物の取り出しにパスワードを入力させることでセキュリティの安全性を向上していたが、パスワードによる取り出し可否の確認を実行しないように構成してもよい。この場合は、利用者がパスワードを忘れて荷物を取り出せなくなるといったことを防止でき、利便性が向上する。
【０１１０】
また、編集空間９は、２つに限らず、１つに構成してもよく、あるいは３つ以上に構成してもよい。この場合でも、荷物の盗難を防止し、また荷物の搬送を行うことができる。
【０１１１】
また、撮影用筐体６と編集用筐体８ａ，８ｂとを分離して備えたが、１つの筐体で一体に構成してもよい。この場合、正面に照明装置１１やデジタルカメラ１２等を備えて撮影空間７側とし、背面に編集用のモニタ１３や入力装置１４を備えて編集空間９側とすればよい。
【０１１２】
また、実施例２では、各撮影空間９に対して荷物置き部４０を２つずつ備える構成にしてもよい。この場合は、一方の荷物置き部４０を使用した後、他方の荷物置き部４０を使用するというように交互に使用することで、荷物の搬送を行うことなく、荷物の混入を防止することができる。
【０１１３】
また、撮影空間７と編集空間９とで個別に荷物置き部を設けてもよい。この場合は、利用者は撮影空間７から編集空間９へ荷物を持って移動することになるが、荷物置き部をロックすることで、撮影中や編集中に荷物が盗難されることを防止できる。
【０１１４】
この発明の構成と、上述の実施形態との対応において、
この発明の写真撮影編集装置は、実施形態の写真シール作成機１に対応し、
以下同様に、
撮影手段は、デジタルカメラ１２に対応し、
編集手段は、入力装置１４に対応し、
出力手段は、プリンタ１８に対応し、
荷物移動手段は、荷物搬送装置３５に対応し、
ロック手段は、ロックガイド４２，５２及びソレノイド４４，５４、またはロック部５７で構成される盗難防止装置３７に対応し、
撮影処理は、ステップｎ１〜ｎ６、またはステップｓ１〜ｓ７に対応し、
編集空間割当手段は、ステップｎ２またはステップｓ３を実行する制御装置１０に対応し、
案内手段は、ステップｎ７またはステップｓ８を実行する制御装置１０とモニタ１３や音声出力装置に対応し、
編集処理は、ステップｎ８〜ｎ９、またはステップｓ９〜ｓ１１に対応し、
他の取得手段は、通信装置、記憶媒体読取装置、またはデータ取込装置に対応し、
所定の画像は、撮影画像、編集画像、または持ち込み画像に対応するも、
この発明は、上述の実施形態の構成のみに限定されるものではなく、多くの実施の形態を得ることができる。
【図面の簡単な説明】
【０１１５】
【図１】写真シール作成機の外観を示す平面図。
【図２】荷物置き部の構成を示す一部縦断側面図。
【図３】写真シール作成機の構成を示すブロック図。
【図４】写真シール作成機の制御装置の動作を示すフローチャート。
【図５】実施例２の写真シール作成機の外観を示す平面図。
【図６】実施例２の荷物置き部の一部縦断側面図。
【図７】実施例２の写真シール作成機の制御装置の動作を示すフローチャート。
【図８】実施例３の荷物置き部の斜視図。
【図９】実施例４の荷物置き部の側面図。
【符号の説明】
【０１１６】
１…写真シール作成機
７…撮影空間
９ａ，９ｂ…編集空間
１０…制御装置
１２…デジタルカメラ
１４…入力装置
１８…プリンタ
３５…荷物搬送装置
３７…盗難防止装置
４０ａ，４０ｂ…荷物置き部
４２，５２…ロックガイド
４４，５４…ソレノイド
５７…ロック部
【図１】
2006317661.tif 000003
【図２】
2006317661.tif 000004
【図３】
2006317661.tif 000005
【図４】
2006317661.tif 000006
【図５】
2006317661.tif 000007
【図６】
2006317661.tif 000008
【図７】
2006317661.tif 000009
【図８】
2006317661.tif 000010
【図９】
2006317661.tif 000011